(57)【要約】【課題】オーバープリント機能の使用に伴う印刷品質の低下を防止することができる情報処理装置、オーバープリント属性変更方法及びプログラムを提供する。【解決手段】印刷用の画像を生成するための情報であって、当該印刷用の画像を構成する画素毎の色空間、濃度、オブジェクトの種類、及びオーバープリント属性を示す印刷情報に基づいて、印刷用の画像を構成する画素毎に、オーバープリント属性を変更する必要があるか否かを判定する判定部１０３と、オーバープリント属性を変更する必要があると判定された画素のオーバープリント属性を変更して、印刷情報を更新する変更部１０５と、を備える。【選択図】図３
2018117216.tif 000002
【特許請求の範囲】
【請求項１】
印刷用の画像を生成するための情報であって、当該印刷用の画像を構成する画素毎の色空間、濃度、オブジェクトの種類、及びオーバープリント属性を示す印刷情報に基づいて、前記印刷用の画像を構成する画素毎に、前記オーバープリント属性を変更する必要があるか否かを判定する判定部と、
前記オーバープリント属性を変更する必要があると判定された画素の前記オーバープリント属性を変更して、前記印刷情報を更新する変更部と、
を備える情報処理装置。
【請求項２】
前記判定部は、前記オーバープリント属性がオーバープリントありを示し、前記濃度が白を示し、前記色空間が、前記濃度が白を示す場合に設定される第１の色空間を示す場合、前記オーバープリント属性を変更する必要があると判定し、
前記変更部は、前記オーバープリント属性を変更する必要があると判定された画素の前記オーバープリント属性をオーバープリントなしに変更する請求項１に記載の情報処理装置。
【請求項３】
前記濃度は、０％であり、
前記第１の色空間は、色名がＮｏｎｅのＳｅｐａｒａｔｉｏｎ色空間である請求項２に記載の情報処理装置。
【請求項４】
前記判定部は、前記オーバープリント属性がオーバープリントありを示し、前記濃度が白を示し、前記色空間が第２の色空間を示し、前記オブジェクトの種類がグラデーションを表現するオブジェクトを示さない場合、前記オーバープリント属性を変更する必要があると判定し、
前記変更部は、前記オーバープリント属性を変更する必要があると判定された画素の前記オーバープリント属性をオーバープリントなしに変更する請求項１〜３のいずれか１つに記載の情報処理装置。
【請求項５】
前記濃度は、ＣＭＹＫそれぞれ０％であり、
前記第２の色空間は、ＣＭＹＫ色空間であり、
前記オブジェクトの種類がスムーズシェードを示さないことである請求項４に記載の情報処理装置。
【請求項６】
更新後の印刷情報に基づいて、前記印刷用の画像を生成する生成部を更に備える請求項１〜５のいずれか１つに記載の情報処理装置。
【請求項７】
前記印刷情報を取得する取得部を更に備える請求項１〜６のいずれか１つに記載の情報処理装置。
【請求項８】
印刷用の画像を生成するための情報であって、当該印刷用の画像を構成する画素毎の色空間、濃度、オブジェクトの種類、及びオーバープリント属性を示す印刷情報に基づいて、前記印刷用の画像を構成する画素毎に、前記オーバープリント属性を変更する必要があるか否かを判定する判定ステップと、
前記オーバープリント属性を変更する必要があると判定された画素の前記オーバープリント属性を変更して、前記印刷情報を更新する変更ステップと、
を含むオーバープリント属性変更方法。
【請求項９】
印刷用の画像を生成するための情報であって、当該印刷用の画像を構成する画素毎の色空間、濃度、オブジェクトの種類、及びオーバープリント属性を示す印刷情報に基づいて、前記印刷用の画像を構成する画素毎に、前記オーバープリント属性を変更する必要があるか否かを判定する判定ステップと、
前記オーバープリント属性を変更する必要があると判定された画素の前記オーバープリント属性を変更して、前記印刷情報を更新する変更ステップと、
をコンピュータに実行させるためのプログラム。
【発明の詳細な説明】
【技術分野】
【０００１】
本発明は、情報処理装置、オーバープリント属性変更方法及びプログラムに関する。
【背景技術】
【０００２】
従来から、ＤＴＰ（DeskTop  Publishing）アプリケーションにおいて、原稿データ内の各オブジェクトに対してオーバープリント属性（Ｔｒｕｅ／Ｆａｌｓｅ）を付与できることが知られている。
【０００３】
このような原稿データに基づいて、印刷用の画像を生成する場合、オーバープリント属性が“Ｆａｌｓｅ”のオブジェクトについては、当該オブジェクトの色のみで描画され、オーバープリント属性が“Ｔｒｕｅ”のオブジェクトについては、当該オブジェクトの色と当該オブジェクトの背面に重なったオブジェクトの色とを重ねて描画する。
【０００４】
このため、オブジェクトにオーバープリント属性“Ｔｒｕｅ”を付与しておけば、印刷の際に版ズレ等が発生しても、当該オブジェクトの周囲に下地の色（印刷用紙の色）の隙間が発生してしまうことを防止できる（例えば特許文献１参照）。
【０００５】
一般的に、上記のようなオーバープリント機能は、黒色（Ｃ，Ｍ，Ｙ，Ｋ＝０％，０％，０％，１００％）のオブジェクトに対して使用されるが、白色（Ｃ，Ｍ，Ｙ，Ｋ＝０％，０％，０％，０％）のオブジェクトに対して使用されると、白色が消失して背面に重なったオブジェクトの色となり、オブジェクトが消失してしまう。
【０００６】
このため、白色（Ｃ，Ｍ，Ｙ，Ｋ＝０％，０％，０％，０％）のオブジェクトにオーバープリント属性“Ｔｒｕｅ”が付与されている場合、当該オブジェクトの色を人間の目で白色と認識可能な色（Ｃ，Ｍ，Ｙ，Ｋ＝１％，１％，１％，１％）に変更することで、オーバープリントが行われても、オブジェクトが消失してしまうことを防止するような技術も知られている。
【発明の概要】
【発明が解決しようとする課題】
【０００７】
しかしながら、上述したような従来技術を採用しても、オブジェクトの消失を防止できなかったり、オブジェクトを消失させなければならないにも関わらずオブジェクトの消失を防止してしまったりして、オーバープリント機能の使用に伴う印刷品質の低下を防止できない場合がある。
【０００８】
本発明は、上記事情に鑑みてなされたものであり、オーバープリント機能の使用に伴う印刷品質の低下を防止することができる情報処理装置、オーバープリント属性変更方法及びプログラムを提供することを目的とする。
【課題を解決するための手段】
【０００９】
上述した課題を解決し、目的を達成するために、本発明の一態様にかかる情報処理装置は、印刷用の画像を生成するための情報であって、当該印刷用の画像を構成する画素毎の色空間、濃度、オブジェクトの種類、及びオーバープリント属性を示す印刷情報に基づいて、前記印刷用の画像を構成する画素毎に、前記オーバープリント属性を変更する必要があるか否かを判定する判定部と、前記オーバープリント属性を変更する必要があると判定された画素の前記オーバープリント属性を変更して、前記印刷情報を更新する変更部と、を備える。
【発明の効果】
【００１０】
本発明によれば、オーバープリント機能の使用に伴う印刷品質の低下を防止することができるという効果を奏する。
【図面の簡単な説明】
【００１１】
【図１】図１は、本実施形態の印刷システムの構成の一例を示すブロック図である。
【図２】図２は、本実施形態のＤＦＥのハードウェア構成の一例を示すブロック図である。
【図３】図３は、本実施形態のＤＦＥの機能構成の一例を示すブロック図である。
【図４】図４は、本実施形態の印刷情報（版情報）の一例を示す図である。
【図５】図５は、本実施形態のオーバープリント属性の変更処理の手順の流れの一例を示すフローチャートである。
【図６】図６は、本実施形態の原稿データの一例を示す図である。
【図７】図７は、本実施形態の印刷結果（印刷物）の一例を示す図である。
【図８】図８は、比較例を示す図であり、従来技術の手法での印刷結果（印刷物）を示す図である。
【図９】図９は、比較例を示す図であり、印刷情報をそのまま用いた場合の印刷結果（印刷物）を示す図である。
【発明を実施するための形態】
【００１２】
以下、添付図面を参照しながら、本発明にかかる情報処理装置、オーバープリント属性変更方法及びプログラムの実施形態を詳細に説明する。
【００１３】
図１は、本実施形態の印刷システム１の構成の一例を示すブロック図である。図１に示すように、印刷システム１は、ＰＣ（Personal  Computer）１０と、ＤＦＥ（Digital  Front  End）２０（情報処理装置の一例）と、印刷装置３０と、を備える。ＰＣ１０とＤＦＥ２０、及びＤＦＥ２０と印刷装置３０とは接続されているが、その接続形態は問わない。接続形態としては、例えば、インターネットやＬＡＮ（Local  Area  Network）などによるネットワーク接続や、ＵＳＢ（Universal  Serial  Bus）などによる接続などが挙げられるが、これらに限定されるものではない。
【００１４】
ＰＣ１０は、ＤＴＰアプリケーションがインストールされており、ＤＴＰアプリケーションにより生成された原稿データをＰＤＬ（Page  Description  Language）などの言語で記述された印刷情報に変換し、当該印刷情報をＤＦＥ２０に送信することで、当該印刷情報に基づく印刷をＤＦＥ２０に要求する。ＤＴＰアプリケーションとしては、例えば、Ｐｈｏｔｏｓｈｏｐ（登録商標）やＩｌｌｕｓｔｒａｔｏｒ（登録商標）など挙げられるが、これらに限定されるものではない。
【００１５】
ＤＦＥ２０は、ＰＣ１０から送信された印刷情報に基づいて、印刷装置３０が印刷可能な形式で描画された印刷用の画像を生成し、当該印刷用の画像を印刷装置３０に送信することで、当該印刷用の画像に基づく印刷を印刷装置３０に要求する。本実施形態では、印刷用の画像は、ＣＭＹＫの画像である場合を例に取り説明するが、これに限定されるものではない。
【００１６】
印刷装置３０は、ＤＦＥ２０から送信された印刷用の画像に基づいて、印刷を実行することで、上述の原稿データが印刷された印刷物を生成する。なお、印刷装置３０の印刷方式は、電子写真方式であってもよいし、インクジェット方式であってもよい。
【００１７】
図２は、本実施形態のＤＦＥ２０のハードウェア構成の一例を示すブロック図である。ＤＦＥ２０は、ＣＰＵ（Central  Processing  Unit）やＧＰＵ（Graphics  Processing  Unit）などの制御装置２１と、ＲＯＭ（Read  Only  Memory）やＲＡＭ（Random  Access  Memory）などの主記憶装置２２と、ＨＤＤ（Hard  Disk  Drive）やＳＳＤ（Solid  State  Drive）などの補助記憶装置２３と、ディスプレイなどの表示装置２４と、キーボードやマウスなどの入力装置２５と、通信インタフェースなどの通信装置２６と、を備えており、通常のコンピュータを利用したハードウェア構成となっている。なお、制御装置２１として、ＩＣ（Integrated  Circuit）などを採用してもよい。
【００１８】
図３は、本実施形態のＤＦＥ２０の機能構成の一例を示すブロック図である。図３に示すように、ＤＦＥ２０は、取得部１０１と、判定部１０３と、変更部１０５と、生成部１０７と、出力部１０９と、を含む。
【００１９】
取得部１０１及び出力部１０９は、例えば、制御装置２１、主記憶装置２２、及び通信装置２６などにより実現できる。判定部１０３、変更部１０５、及び生成部１０７は、例えば、制御装置２１及び主記憶装置２２などにより実現できる。
【００２０】
取得部１０１は、ＰＣ１０から印刷情報を取得する。印刷情報は、上述のように、ＤＴＰアプリケーションにより生成された原稿データをＰＤＬなどの言語で記述した情報であり、印刷用の画像を生成するための情報であって、当該印刷用の画像を構成する画素毎の色空間、濃度、オーバープリント属性、及びオブジェクトの種類を示す。詳細には、取得部１０１は、ＰＣ１０から取得した印刷情報を解析することで、印刷情報から、印刷用の画像を構成する画素毎の色空間、濃度、オーバープリント属性、及びオブジェクトの種類を示す情報（版情報）を抽出して取得する。
【００２１】
色空間としては、例えば、ＲＧＢ、ＣＭＹＫ、Ｇｒａｙ、及び特色を扱うためのＳｅｐａｒａｔｉｏｎやＤｅｖｉｃｅＮなどが挙げられるが、これらに限定されるものではない。濃度は、色空間おける色成分毎の濃淡で当該色空間おける色を表したものである。例えば、ＣＭＹＫ色空間の場合、ＣＭＹＫの各色成分の濃度（０％〜１００％の値）で、当該ＣＭＹＫ色空間での色を表す。オブジェクトの種類は、原稿データ（例えば、ＰＤＦ（Portable  Document  Format））上で描画指示されているオブジェクトの種類を表し、例えば、テキスト、スムーズシェード、ラインアート、及びイメージなどが挙げられるが、これらに限定されるものではない。オーバープリント属性は、オーバープリント機能の使用有無を表し、一般的には、Ｔｒｕｅ（オーバープリント機能の使用あり）の場合、オーバープリント機能の使用（背面の色を重ねて描画すること）を表し、Ｆａｌｓｅ（オーバープリント機能の使用なし）の場合、オーバープリント機能の不使用（背面の色を重ねずに描画すること）を表す。
【００２２】
図４は、本実施形態の印刷情報（版情報）の一例を示す図である。図４に示す版情報は、印刷用の画像を構成するある画素の色空間、濃度、オブジェクトの種類、及びオーバープリント属性を示す。
【００２３】
判定部１０３は、取得部１０１により取得された印刷情報に基づいて、印刷用の画像を構成する画素毎に、オーバープリント属性を変更する必要があるか否かを判定する。
【００２４】
具体的には、判定部１０３は、オーバープリント属性がオーバープリントありを示し、濃度が白を示し、色空間が、濃度が白を示す場合に設定される第１の色空間を示す場合、オーバープリント属性を変更する必要があると判定する。例えば、判定部１０３は、オーバープリント属性がＴｒｕｅを示し、濃度が０％を示し、色空間が、濃度が０％を示す場合に設定される、色名がＮｏｎｅのＳｅｐａｒａｔｉｏｎ色空間を示す場合、オーバープリント属性を変更する必要があると判定する。
【００２５】
以下、上記のように判定する理由について説明する。
【００２６】
まず、白色のオブジェクトに対してオーバープリント機能を使用すると、白色が消失して背面に重なったオブジェクトの色となり、オブジェクトが消失してしまうことは、一般的によく知られている。このため、このような設定は、ユーザ（原稿データの作成者）の誤設定であることが多い。従って、色空間がＣＭＹＫ色空間を示し、濃度が白（ＣＭＹＫそれぞれ０％）を示す場合に、オーバープリント属性がＴｒｕｅであれば、Ｆａｌｓｅに更新し、オーバープリント機能を使用しないようにすることが好ましい。
【００２７】
但し、白色の画素に対してオーバープリント機能を使用する場合（オーバープリント属性がＴｒｕｅ、濃度がＣＭＹＫそれぞれ０％、色空間がＣＭＹＫ色空間を示す場合）、白色は消失してしまうため、実際に描画する必要がない。このため、ＤＴＰアプリケーションによっては、オーバープリント属性がＴｒｕｅ、濃度がＣＭＹＫそれぞれ０％、色空間がＣＭＹＫ色空間を示す場合、強制的に、色空間を、何も描画しないことを示す色空間（色名がＮｏｎｅのＳｅｐａｒａｔｉｏｎ色空間）に更新するとともに、濃度を白（０％）に更新してしまうことがある。なお、Ｓｅｐａｒａｔｉｏｎは、特色を指定する色空間であり、Ｎｏｎｅは、何も描画しないことを示す。
【００２８】
このため本実施形態では、ＤＴＰアプリケーションにより上述のような変換が強制的に行われても、白色の画素に対してオーバープリント機能が使用されてしまうことを防止できるよう、上述のような判定を行う。
【００２９】
また判定部１０３は、オーバープリント属性がオーバープリントありを示し、濃度が白を示し、色空間が第２の色空間を示し、オブジェクトの種類がグラデーションを表現するオブジェクトを示さない場合、オーバープリント属性を変更する必要があると判定する。例えば、判定部１０３は、オーバープリント属性がＴｒｕｅを示し、濃度がＣＭＹＫそれぞれ０％を示し、色空間がＣＭＹＫ色空間を示し、オブジェクトの種類がスムーズシェードを示さない場合、オーバープリント属性を変更する必要があると判定する。
【００３０】
以下、上記のように判定する理由について説明する。
【００３１】
前述したように、色空間がＣＭＹＫ色空間を示し、濃度が白（ＣＭＹＫそれぞれ０％）を示す場合に、オーバープリント属性がＴｒｕｅであれば、ユーザの誤設定である可能性が高いため、オーバープリント属性をＦａｌｓｅに更新し、オーバープリント機能を使用しないようにすることが好ましい。
【００３２】
但し、ＤＴＰアプリケーションによっては、オブジェクトの種類がスムーズシェードを示す場合に、グラデーションを表現するために、オーバープリント属性がＴｒｕｅ、濃度がＣＭＹＫそれぞれ０％、色空間がＣＭＹＫ色空間を示す設定を、ユーザの意に反して使用してしまう場合がある。具体的には、オブジェクトの種類がスムーズシェードの場合、始点（例えば、ＣＭＹＫそれぞれ０％）と終点（例えば、特色１００％）との間にグラデーション効果をかけることができるが、ＤＴＰアプリケーションによっては、オブジェクトを分割し、分割されたオブジェクト毎に、オーバープリント機能により色を混ぜ合わせることで、このグラデーション効果を実現することがある。この結果、オーバープリント属性がＴｒｕｅ、濃度がＣＭＹＫそれぞれ０％、色空間がＣＭＹＫ色空間を示す設定が、ユーザの意に反して使用されてしまう場合がある。
【００３３】
このような場合に、オーバープリント属性をＦａｌｓｅに更新し、白色の画素に対してオーバープリント機能を使用しないようにしてしまうと、当然、グラデーションを正しく表現できなくなってしまう。
【００３４】
このため本実施形態では、上述のような判定を行うことで、グラデーション効果を実現するために白色の画素に対してオーバープリント機能を使用する場合を除き、白色の画素に対してオーバープリント機能が使用されてしまうことを防止する。
【００３５】
変更部１０５は、オーバープリント属性を変更する必要があると判定された画素のオーバープリント属性を変更して、印刷情報を更新する。具体的には、変更部１０５は、オーバープリント属性をＴｒｕｅからＦａｌｓｅに変更する必要があると判定された画素のオーバープリント属性をＦａｌｓｅに変更する。
【００３６】
生成部１０７は、変更部１０５により更新された印刷情報に基づいて、印刷用の画像を生成する。具体的には、生成部１０７は、変更部１０５により更新された印刷情報の言語解釈、レンダリング（ベクター／ラスター変換）、ＣＭＹＫ色空間への色変換、及び
中間調処理などを行うことで、印刷用の画像を生成する。
【００３７】
例えば、生成部１０７は、１２００ｄｐｉでレンダリング処理を行うことでＣＭＹＫ各８ｂｉｔのプレーン（ＣＭＹＫ：１２００ｄｐｉ＊８ｂｉｔ＊４ｐｌａｎｅの画像）を生成し、印刷装置３０で扱われる画像フォーマット（例えば、ＣＭＹＫ各２ｂｉｔ）への中間調処理を行うことで、印刷用の画像（ＣＭＹＫ：１２００ｄｐｉ＊２ｂｉｔ＊４ｐｌａｎｅの画像）を生成する。
【００３８】
出力部１０９は、生成部１０７により生成された印刷用の画像を印刷装置３０へ出力する。
【００３９】
なお本実施形態では、ＤＦＥ２０でオーバープリント属性の変更処理を行うため、ＤＦＥ２０が、判定部１０３及び変更部１０５を含む場合を例に取り説明するが、これに限定されるものではない。例えば、ＰＣ１０でオーバープリント属性の変更処理を行うのであれば（ＰＣ１０のワークフローＲＩＰソフトウェアやＰＤＦ編集ツールのようなアプリケーションでオーバープリント属性の変更処理を行うのであれば）、判定部１０３及び変更部１０５をＰＣ１０が含むようにすればよい。
【００４０】
また本実施形態では、ＤＦＥ２０の生成部１０７で中間調処理を行う場合を例に取り説明したが、これに限定されず、中間調処理を印刷装置３０側で行うようにしてもよい。
【００４１】
図５は、本実施形態のオーバープリント属性の変更処理の手順の流れの一例を示すフローチャートである。
【００４２】
まず、取得部１０１は、ＰＣ１０から印刷情報を取得し、取得した印刷情報から、印刷用の画像を構成する画素毎の色空間、濃度、オーバープリント属性、及びオブジェクトの種類を示す情報（版情報）を抽出する（ステップＳ１０１）。
【００４３】
続いて、判定部１０３は、処理対象の画素のオーバープリント属性がＴｒｕｅであるか否か判定する（ステップＳ１０３）。Ｔｒｕｅでない（Ｆａｌｓｅである）場合（ステップＳ１０３でＮｏ）、判定部１０３は、処理対象の画素のオーバープリント属性を変更しないと判定し、ステップＳ１１３へ進む。
【００４４】
Ｔｒｕｅである場合（ステップＳ１０３でＹｅｓ）、判定部１０３は、処理対象の画素の色空間がＣＭＹＫかつ濃度が（Ｃ，Ｍ，Ｙ，Ｋ＝０％，０％，０％，０％）であるか否か判定する（ステップＳ１０５）。
【００４５】
処理対象の画素の色空間がＣＭＹＫかつ濃度が（Ｃ，Ｍ，Ｙ，Ｋ＝０％，０％，０％，０％）である場合（ステップＳ１０５でＹｅｓ）、判定部１０３は、処理対象の画素のオブジェクトの種類がスムーズシェードであるか否か判定する（ステップＳ１０７）。処理対象の画素のオブジェクトの種類がスムーズシェードでない場合（ステップＳ１０７でＮｏ）、判定部１０３は、処理対象の画素のオーバープリント属性を変更しないと判定し、ステップＳ１１３へ進む。
【００４６】
処理対象の画素のオブジェクトの種類がスムーズシェードである場合（ステップＳ１０７でＹｅｓ）、判定部１０３は、処理対象の画素のオーバープリント属性を変更すると判定し、変更部１０５は、オーバープリント属性をＴｒｕｅからＦａｌｓｅに変更して（ステップＳ１０９）、印刷情報を更新し、ステップＳ１１３へ進む。
【００４７】
一方、処理対象の画素の色空間がＣＭＹＫかつ濃度が（Ｃ，Ｍ，Ｙ，Ｋ＝０％，０％，０％，０％）でない場合（ステップＳ１０５でＮｏ）、判定部１０３は、処理対象の画素の色空間が色名ＮｏｎｅのＳｅｐａｒａｔｉｏｎ色空間かつ濃度が０％であるか否か判定する（ステップＳ１１１）。処理対象の画素の色空間が色名ＮｏｎｅのＳｅｐａｒａｔｉｏｎ色空間かつ濃度が０％でない場合（ステップＳ１１１でＮｏ）、判定部１０３は、処理対象の画素のオーバープリント属性を変更しないと判定し、ステップＳ１１３へ進む。
【００４８】
処理対象の画素の色空間が色名ＮｏｎｅのＳｅｐａｒａｔｉｏｎ色空間かつ濃度が０％である場合（ステップＳ１１１でＹｅｓ）、判定部１０３は、処理対象の画素のオーバープリント属性を変更すると判定し、変更部１０５は、オーバープリント属性をＴｒｕｅからＦａｌｓｅに変更して（ステップＳ１０９）、印刷情報を更新し、ステップＳ１１３へ進む。
【００４９】
そして判定部１０３及び変更部１０５は、全ての画素を処理するまでステップＳ１０３〜Ｓ１１１の処理を繰り返す（ステップＳ１１３でＮｏ）。
【００５０】
全ての画素が処理されると（ステップＳ１１３でＹｅｓ）、生成部１０７は、変更部１０５により更新された印刷情報に基づいて、印刷用の画像を生成する（ステップＳ１１５）。
【００５１】
以下、図６〜図９を参照しながら、本実施形態の効果について説明する。
【００５２】
図６は、本実施形態の原稿データの一例を示す図である。図６に示す例では、原稿データ上にオブジェクト２０１、２０３が配置されている。オブジェクト２０１は、シアン色（Ｃ，Ｍ，Ｙ，Ｋ＝１００％，０％，０％，０％）の背景の上に、白色（Ｃ，Ｍ，Ｙ，Ｋ＝０％，０％，０％，０％）のテキストが重なっているオブジェクトであり、ユーザの誤設定でオーバープリント属性がＴｒｕｅであるものとする。オブジェクト２０３は、始点（Ｃ，Ｍ，Ｙ，Ｋ＝０％，０％，０％，０％）、終点（特色１００％）のグラデーションパターンをもつ、スムーズシェードオブジェクト（オブジェクトの種類がスムーズシェード）であり、ＤＴＰアプリケーションがオーバープリント機能を使用して、このグラデーションパターンを表現しているものとする。
【００５３】
図７は、本実施形態の印刷結果（印刷物）の一例を示す図である。本実施形態では、上述したオーバープリント属性の変更処理が行われるため、原稿データのオブジェクト２０１は、印刷物上のオブジェクト２１１のように、白のテキストオブジェクトが正しく描画され、原稿データのオブジェクト２０３は、印刷物上のオブジェクト２１３のように、グラデーションが正しく再現され、原稿データの内容を正しく印刷した印刷結果が得られている。
【００５４】
図８は、比較例を示す図であり、従来技術の手法での印刷結果（印刷物）を示す図である。なお、従来技術の手法とは、白色（Ｃ，Ｍ，Ｙ，Ｋ＝０％，０％，０％，０％）のオブジェクトにオーバープリント属性“Ｔｒｕｅ”が付与されている場合、当該オブジェクトの色を人間の目で白色と認識可能な色（Ｃ，Ｍ，Ｙ，Ｋ＝１％，１％，１％，１％）に変更する手法である。
【００５５】
従来技術の手法では、原稿データのオブジェクト２０１は、印刷物上のオブジェクト２２１のように、白のテキストオブジェクトが消失されずに描画されているが、原稿データのオブジェクト２０３は、印刷物上のオブジェクト２２３のように、グラデーションが正しく再現されていない。従来技術の手法の場合、グラデーションを再現するためのオーバープリント機能までも回避し、白の成分をもつオブジェクトを消失させてしまうためである。このように従来技術の手法を採用しても、原稿データの内容を正しく印刷した印刷結果は得られない。
【００５６】
図９は、比較例を示す図であり、印刷情報をそのまま用いた場合の印刷結果（印刷物）を示す図である。
【００５７】
印刷情報をそのまま用いた場合、原稿データのオブジェクト２０３は、印刷物上のオブジェクト２３３のように、グラデーションが正しく再現されているが、原稿データのオブジェクト２０１は、印刷物上のオブジェクト２２１のように、白のテキストオブジェクトが消失しており、正しく描画されていない。印刷情報をそのまま用いた場合、白のテキストオブジェクトのオーバープリント機能が回避されず、白のテキストオブジェクトが背面の色で上書きされてしまうためである。このように印刷情報をそのまま用いても、原稿データの内容を正しく印刷した印刷結果は得られない。
【００５８】
以上のように本実施形態によれば、オーバープリント機能の使用に伴う印刷品質の低下を防止することができる。
【００５９】
（プログラム）
上記実施形態のＤＦＥ２０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００６０】
また、上記実施形態のＤＦＥ２０で実行されるプログラムを、インターネット等のネットワークに接続されたコンピュータ上に格納し、ネットワーク経由でダウンロードさせることにより提供するようにしてもよい。また、上記実施形態のＤＦＥ２０で実行されるプログラムを、インターネット等のネットワーク経由で提供または配布するようにしてもよい。また、上記実施形態のＤＦＥ２０で実行されるプログラムを、ＲＯＭ等に予め組み込んで提供するようにしてもよい。
【００６１】
上記実施形態のＤＦＥ２０で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【００６２】
なお、上記実施形態は、例として提示したものであり、発明の範囲を限定することは意図していない。上記新規な実施の形態は、その他の様々な形態で実施されることが可能であり、発明の要旨を逸脱しない範囲で、種々の省略、置き換え、変更を行うことができる。これらの実施の形態は、発明の範囲や要旨に含まれるとともに、特許請求の範囲に記載された発明とその均等の範囲に含まれる。
【符号の説明】
【００６３】
１  印刷システム
１０  ＰＣ
２０  ＤＦＥ
３０  印刷装置
１０１  取得部
１０３  判定部
１０５  変更部
１０７  生成部
１０９  出力部
【先行技術文献】
【特許文献】
【００６４】
【特許文献１】特開２００３−００５３４３号公報
【図１】
2018117216.tif 000003
【図２】
2018117216.tif 000004
【図３】
2018117216.tif 000005
【図４】
2018117216.tif 000006
【図５】
2018117216.tif 000007
【図６】
2018117216.tif 000008
【図７】
2018117216.tif 000009
【図８】
2018117216.tif 000010
【図９】
2018117216.tif 000011